(57)【特許請求の範囲】
【請求項１】
屋根面において所定の屋根勾配を形成するように設けられた屋根材と、その下面側に前記屋根材に対向して設けられた屋根裏面材とを有し、前記屋根材と前記屋根裏面材との間に、前記屋根面の勾配上端部から勾配下端部まで延びるようにして屋根下空間部が形成されている建物の屋根構造であって、
前記屋根材は、屋根勾配の上下方向に並べて設けられた第１屋根部及び第２屋根部を有しており、
前記屋根下空間部内には、前記第１屋根部の下面側となる位置に、相対湿度の上昇時に吸湿を行い、相対湿度の下降時に放湿を行う吸放湿性能を有する吸湿材が設けられ、
前記第１屋根部は、該第１屋根部の上面部における日射吸収率が前記第２屋根部の上面部に比べて高いものであることを特徴とする建物の屋根構造。
【請求項２】
前記屋根材において、前記屋根面の勾配上端部を含む勾配上部エリアを前記第１屋根部とし、それよりも勾配下側のエリアを前記第２屋根部としている請求項１に記載の建物の屋根構造。
【請求項３】
前記屋根材において、前記屋根面の勾配上端部を含む勾配上部エリアを前記第２屋根部とし、それよりも勾配下側のエリアを前記第１屋根部とし、
前記屋根下空間部における屋根勾配の上下両端部にはそれぞれ通気開口部が設けられている請求項１に記載の建物の屋根構造。
【請求項４】
建物内の部屋空間の上方であってかつ前記屋根材の下面側に、複数の板状断熱材が各々の端面同士を突き合わせた状態で設けられ、それら複数の板状断熱材により前記屋根裏面材が構成されており、
前記複数の板状断熱材の突き合わせ部分を跨ぐようにして前記屋根材が設けられている請求項１乃至３のいずれか１項に記載の建物の屋根構造。
【請求項５】
前記屋根材は、波形状の折板材であり、谷部又は山部が勾配方向に沿って延びる状態で前記屋根裏面材の上に載置されており、
前記屋根下空間部は、前記屋根材の前記山部と前記屋根裏面材との間に挟まれた空間であることを特徴とする請求項１乃至４のいずれか１項に記載の建物の屋根構造。
【発明の詳細な説明】
【技術分野】
【０００１】
本発明は、建物の屋根構造に関するものである。
【背景技術】
【０００２】
住宅等の建物の屋根構造として、屋根面を形成する屋根材が屋根下地材の上に載置されることで構成された屋根構造がある。例えば、屋根材として鋼板製の折板材が用いられ、その折板材に対して断熱材を積層して設けた折板屋根構造がある（例えば特許文献１）。この構造においては、屋外と屋内とで温度差が生じても折板材の屋内側に結露が発生しにくくするために、折板材と断熱材との積層構造が用いられている。
【先行技術文献】
【特許文献】
【０００３】
【特許文献１】特開２００２−３６４３２号公報
【発明の概要】
【発明が解決しようとする課題】
【０００４】
しかしながら、上記のとおり折板材に断熱材を積層させた構造を用いても、やはり結露の発生が懸念される。例えば、寒冷地等においては折板屋根の下面側が外気によって冷やされ、且つ折板屋根の下面側に湿気が存在すると、その湿気に起因して結露が発生すると考えられる。
【０００５】
本発明は、上記事情に鑑みてなされたものであり、折板屋根等の屋根材の下面側において結露の発生を好適に抑制することができる建物の屋根構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の屋根構造は、屋根面において所定の屋根勾配を形成するように設けられた屋根材と、その下面側に前記屋根材に対向して設けられた屋根裏面材とを有し、前記屋根材と前記屋根裏面材との間に、前記屋根面の勾配上端部から勾配下端部まで延びるようにして屋根下空間部が形成されている建物の屋根構造であって、前記屋根材は、屋根勾配の上下方向に並べて設けられた第１屋根部及び第２屋根部を有しており、前記第１屋根部は、該第１屋根部の上面部における日射吸収率が前記第２屋根部の上面部に比べて高いものであることを特徴とする。
【０００８】
第１の発明によれば、第１屋根部と第２屋根部とでは日射熱（熱線）の吸収量が相違し、それにより屋根下空間部において温度差が生じる。この場合特に、第１屋根部と第２屋根部とは屋根勾配の上下方向に並べて設けられているため、屋根勾配の上下方向に温度差が生じることとなる。これにより、屋根下空間部においては勾配上端側に向かって対流が発生しやすくなり、仮に屋根下空間部が外気により冷やされ且つその屋根下空間部に湿気が存在していても、屋根材の下面側における通気が行われて結露の発生しにくい状態を保持できる。以上の結果、折板屋根等の屋根材の下面側において結露の発生を好適に抑制することができる。
【０００９】
第２の発明では、前記第１屋根部における前記屋根材の上面には、該屋根材の上面における日射吸収率を高くするための高吸収層が設けられている。
【００１０】
第２の発明によれば、第１屋根部における日射熱の吸収量が高吸収層により高くされているため、第１屋根部と第２屋根部とにより屋根下空間部において温度差を生じさせることができる。
【００１１】
第３の発明では、前記屋根下空間部内には、前記第１屋根部の下面側となる位置に、相対湿度の上昇時に吸湿を行い、相対湿度の下降時に放湿を行う吸放湿性能を有する吸湿材が設けられている。
【００１２】
屋根部の屋根下空間部においては、一昼夜を通じて考えると比較的気温の低い夜間に結露が発生しやすくなる。この点、第３の発明によれば、屋根下空間部内に吸湿材が設けられているため、結露が発生しやすい夜間において湿気を吸湿材にて吸収させることで、結露の発生を抑制できる。また、上記構成において、吸湿材は、吸放湿機能を有する吸湿材（例えばＢ型シリカゲル）であって、高吸収層が設けられている第１屋根部の下面側となる位置に設けられているため、日射のある昼間においては、第２屋根部に比べて高温となりやすい第１屋根部の下面側で放湿（夜間のうちに吸湿材に吸収された湿気の放出）が促され、吸湿能力の再生を確実に行わせることができる。
【００１３】
なお、日ごとで考えると、屋根下空間部内において吸湿材の吸湿と放湿とが夜間と昼間とで繰り返され、結果として、毎夜における結露を抑制することができる。
【００１４】
特に、第３の発明を第２の発明に適用し、高吸収層が設けられた第１屋根部の下面側に吸湿材が配置されていることが好ましい。これにより、日射のある昼間において吸湿材がさらに放湿しやすくなり、吸湿能力の再生をより確実に行わせることができる。
【００１５】
第４の発明では、前記屋根材において、前記屋根面の勾配上端部を含む勾配上部エリアを前記第１屋根部とし、それよりも勾配下側のエリアを前記第２屋根部としている。
【００１６】
屋根下空間部内において、勾配上部となる部位、すなわち屋根面の勾配上端部を含む勾配上部エリアに相当する部位では、夜間において湿気が溜まりやすいと考えられるが、第４の構成では、かかる部位に吸湿材が配置されるため、夜間の湿気を効率良く吸収できる。
【００１７】
第５の発明では、前記屋根材において、前記屋根面の勾配上端部を含む勾配上部エリアを前記第２屋根部とし、それよりも勾配下側のエリアを前記第１屋根部とし、前記屋根下空間部における屋根勾配の上下両端部にはそれぞれ通気開口部が設けられている。
【００１８】
第５の発明によれば、屋根下空間部内において、勾配上端部を含む勾配上部エリアが低温、それよりも勾配下方が高温となる温度差を生じさせ、その温度差による対流を生じさせることができる。この場合、屋根下空間部内に対流が生じることによって、屋根勾配下側の通気開口部から外気が流入するとともに、屋根勾配上側の通気開口部から屋根下空間部内に存在する湿気が外部に流出することとなる。これにより、屋根下空間部内の相対湿度を下げ、ひいては結露の抑制を図ることができる。
【００１９】
ここで、屋根下空間部内において第１屋根部の下面側となる位置に吸湿材が設けられている構成にあっては、昼間において吸湿材から放出された湿気が順次外部に排出されることとなる。そのため、屋根下空間部内における吸湿の効率を高めることができる。
【００２０】
第６の発明では、建物内の部屋空間の上方であってかつ前記屋根材の下面側に、複数の板状断熱材が各々の端面同士を突き合わせた状態で設けられ、それら複数の板状断熱材により前記屋根裏面材が構成されており、前記複数の板状断熱材の突き合わせ部分を跨ぐようにして前記屋根材が設けられている。
【００２１】
第６の発明のように、複数の板状断熱材が突き合わされて屋根裏面材が構成され、その板状断熱材の突き合わせ部分を跨ぐようにして屋根材が設けられていると、板状断熱材の突き合わせ部分の隙間を通じて、板状断熱材の下方の部屋空間から、湿気を帯びた空気が屋根下空間部内に侵入することが考えられる。この点、第１の発明のとおり屋根材の上面側における日射吸収率を屋根勾配の上下方向において異ならせること等により、折板屋根等の屋根材の下面側において結露の発生を抑制することができる。
【００２２】
なお、本発明の屋根構造は、例えば夜間営業を行う店舗建物の屋根構造として好適に用いることができる。コンビニエンスストアなど、昼間に加えて夜間にも営業を行う店舗では、空調空気や人、飲食物、加湿器、調理場等から昼夜問わずに発湿することなどに起因して、昼間だけでなく夜間においても、屋根下空間部に湿気を帯びた空気が侵入する。この点、上記のとおり屋根材の上面側における日射吸収率を部分的に異ならせること等により、夜間営業店舗において夜間での屋根材の結露の発生を抑制することができる。
【００２３】
第７の発明では、前記屋根材は、波形状の折板材であり、谷部又は山部が勾配方向に沿って延びる状態で前記屋根裏面材の上に載置されており、前記屋根下空間部は、前記屋根材の前記山部と前記屋根裏面材との間に挟まれた空間である。
【００２４】
折板材が、谷部又は山部が勾配方向とは交差する方向に延びる状態で屋根裏面材の上に載置されている場合、屋根下空間部においては谷部に遮られて勾配上端側に向けた対流が生じにくくなってしまう。この点、第７の発明によれば、折板材の谷部が勾配方向に延びているため、屋根下空間部での対流が折板材の谷部により遮られることがなく、屋根下空間部において勾配上端側に向けて対流を生じさせることができる。これにより、屋根下空間部の頂部付近に湿気が溜まって結露が生じやすくなるということを抑制できる。
【００２５】
なお、第７の発明を第３の発明に適用し、前記吸湿材が、前記折板材における前記山部の頂部下面側に配置されていることが好ましい。これにより、屋根下空間部の上部において吸湿材により水分が吸収されるため、結露発生を効率良く抑制できる。
【図面の簡単な説明】
【００２６】
【図１】本実施形態の建物について屋根部付近の構造を示す断面図。
【図２】断熱材の配置を示す図。
【図３】屋根ユニットの平面図。
【図４】折板材の断面構造を示す断面図。
【発明を実施するための形態】
【００２７】
以下、本発明を具体化した一実施形態を図面に基づいて説明する。本実施形態では、コンビニエンスストアとして用いられる店舗建物に本発明を具体化することとしている。図１は、本実施形態の建物１０について屋根部付近の構造を示す断面図、図２は断熱材２７の配置を示す図、図３は屋根ユニット１２の平面図である。なお、図２は、屋根ユニット１２を上から見た図であって、折板材２２の図示を省略した図である。
【００２８】
図１に示すように、建物１０は、鉄骨構造の躯体を有する建物本体１１を備え、その建物本体１１の上に屋根ユニット１２が設置されている。建物本体１１において図の左側が店舗正面であり、その店舗正面には店舗出入口が設けられている（図示略）。また、建物１０の店舗正面側には、屋根ユニット１２から正面側に張り出すようにして張出部１３が設けられている。
【００２９】
建物本体１１において、天井部分には天井下地材１５が設けられるとともに、その下面側には石膏ボード等からなる天井面材１６が設けられている。天井面材１６の下方が部屋空間としての店舗内スペースＳ１であり、図示は省略するが、店舗内スペースＳ１には多数の商品棚や商品ケース等が設けられている。また、店舗内スペースＳ１には照明設備や空調設備が設けられており、これらの照明設備や空調設備により店舗内の明るさや空調温度が調整されるようになっている。２４時間営業のコンビニエンスストアの場合、一昼夜を通じて店舗内の明るさや空調温度が適宜調整されることとなる。
【００３０】
屋根ユニット１２は、屋根フレーム２１と、その上方において折板屋根を構成する屋根材としての折板材２２とを備える。屋根フレーム２１は、例えば溝形綱を用いたトラス屋根構造を有しており、上下の横フレーム材２３，２４と、縦フレーム材２５と、斜めフレーム材２６とが互いに連結されることで構成されている。上下の横フレーム材２３，２４のうち下側の横フレーム材２３は、水平方向に延び、かつ天井下地材１５や天井面材１６に平行になるように設けられるのに対し、上側の横フレーム材２４は、店舗正面側からその反対側に向けて（図１では左側から右側に向けて）所定の勾配角度にて傾斜させて設けられている。本実施形態では、折板材２２が例えば１／５０の水勾配を付けて設けられる構成としており、その折板材２２と同じ勾配で上側の横フレーム材２４が設けられている。なお、屋根ユニット１２は陸屋根（フラット屋根）を形成している。
【００３１】
また、屋根ユニット１２において上側の横フレーム材２４の上面側には、板状をなす複数の断熱材２７が敷設されている。断熱材２７は、例えば矩形状をなす硬質ウレタンフォームからなっている板状断熱材であり、図２に示すように、屋根ユニット１２の上面側において互いの端面同士を突き合わせた状態で多数敷設されている。符号２７ａは、隣り合う断熱材２７同士を結合する結合金具である。なお、断熱材２７は、例えば１ｍ×２ｍ程度の大きさを有する。また、敷設された各断熱材２７が屋根裏面材に相当する。
【００３２】
そして、複数の断熱材２７の上に、鋼板製の折板材２２が固定されている。折板材２２は鋼板が折り曲げられることで台形波形状とされ、図３に示すように、谷部又は山部が店舗正面側からその反対側に延びるように、すなわち勾配方向に延びるように設けられている。図３において、図の下側が勾配上側（水上側）、上側が勾配下側（水下側）である。
【００３３】
また、図１において、折板材２２と断熱材２７との間には屋根下空間部Ｓ２（図４参照）が形成されており、折板材２２の勾配下端部には、屋根下空間部Ｓ２の開口部を閉じるための面戸２８が設けられている。面戸２８は通気孔部を有しており、その通気孔部を介して屋根下空間部Ｓ２に対して空気の出入りが可能となっている。建物本体１１と屋根ユニット１２との側面部には外壁材２９が固定されており、折板材２２の勾配下端部には雨樋３０が設けられている。なお、折板屋根の詳細は後述する。
【００３４】
張出部１３は、例えば溝形綱を用いたトラス構造を有する張出フレーム３１を備えており、その正面側には幕板３２が設けられるとともに、その幕板３２の表側に店舗看板３３が設けられている。また、張出フレーム３１の下面側には軒天材３４が設けられ、上面側には上面材３５が設けられている。なお、張出部１３は通気孔部を有しており、その通気孔部、張出部１３の内部空間、屋根下空間部Ｓ２の勾配上端部の開口を通じて、屋根下空間部Ｓ２に対して空気の出入りが可能となっている。
【００３５】
ところで、図１の構成の折板屋根では、折板材２２と断熱材２７との間の屋根下空間部Ｓ２において、折板材２２の下面に結露が発生するという問題が生じる。結露の原因の１つとしては、複数の断熱材２７の繋ぎ目（突き当て部分）を通じて店舗内スペースＳ１の空気が屋根下空間部Ｓ２に侵入することが考えられる。この場合、店舗内スペースＳ１では、空調実施などにより昼夜を通じて発湿条件が揃っているため、例えば冬場の夜間においては湿気を帯びた暖気が屋根下空間部Ｓ２に侵入し、それが原因で折板材２２の下面に結露が発生する。
【００３６】
そこで本実施形態では、湿気を吸収可能な吸湿材４１を屋根下空間部Ｓ２に設け、吸湿材４１（図４参照）により屋根下空間部Ｓ２の相対湿度を低下させることにより、例えば夜間において外気温度が屋根下空間部Ｓ２の温度より低くなっても、屋根下空間部Ｓ２での結露発生を抑制できるようにしている。
【００３７】
ここでは、折板屋根の構成について図３、図４を参照しつつ詳しく説明する。図４は、折板材２２の断面構造を示す断面図であり、（ａ）は図３のＡ−Ａ線断面図、（ｂ）は図３のＢ−Ｂ線断面図に相当する。
【００３８】
図４に示すように、折板材２２の谷部は断熱材２７の上面に当接している。折板材２２においては、上方に向けて開放された溝部と下方に向けて開放された溝部とが交互に配置されており、屋根下空間部Ｓ２は、下方に向けて開放された溝部の内部空間により形成されている。換言すれば、屋根下空間部Ｓ２は、折板材２２の山部と断熱材２７との間に挟まれた空間とされている。この場合、屋根下空間部Ｓ２は勾配方向に延びており、その勾配方向とは交差する方向に複数並んだ状態で存在している。
【００３９】
なお、断熱材２７同士の継ぎ目は、勾配方向及びそれとは交差する方向にそれぞれ延びており、折板材２２はそれら継ぎ目を跨いだ状態となっている。
【００４０】
折板材２２の上面には、その上面における日射吸収率を高めるための高吸収層４２が設けられている。高吸収層４２は、日射吸収率の高い塗料（例えば日射吸収率が１．０の黒色塗料）が折板材２２の上面に塗布されることで形成されている。日射吸収率の高い色としては、黒色や濃い灰色など光反射率の低い色が挙げられる。なお、高吸収層４２は、黒色や濃い灰色など日射吸収率の高い色のシート材や薄板により形成されていてもよい。
【００４１】
高吸収層４２は、勾配方向において折板材２２の一部に設けられている。ここで、折板材２２において高吸収層４２が設けられている部分を第１屋根部４４とし、高吸収層４２が設けられていない部分を第２屋根部４５とすれば、第１屋根部４４と第２屋根部４５とは屋根面の勾配方向において上下に隣り合って配置されていることになる。第２屋根部４５の屋根面は折板材２２の上面により形成されており、日射吸収率が第１屋根部４４よりも小さくなっている。この場合、第２屋根部４５の屋根面の色は、銀色や薄い灰色など光反射率が第１屋根部４４よりも高い色とされている。このため、屋根面に太陽光が照射された場合に、第１屋根部４４は、第２屋根部４５に比べて温度上昇しやすくなっている。
【００４２】
図３に示すように、第１屋根部４４は屋根面の勾配上端部を含む勾配上部のエリアに配置されており、第２屋根部４５は第１屋根部４４よりも勾配下側のエリアに配置されている。この場合、第１屋根部４４は、折板材２２の勾配上端部に沿って延びており、第２屋根部４５は第１屋根部４４と平行に延びている。なお、第１屋根部４４と第２屋根部４５との表面積の比率は、屋根面の勾配方向において例えば１：４〜１：５とされている。
【００４３】
吸湿材４１は、Ｂ型シリカゲル等の乾燥剤を不織布等からなる袋体に収納したものであり、屋根下空間部Ｓ２において第１屋根部４４の下方に配置されている。吸湿材４１は、例えば折板材２２における山部の頂部下面に対して接着材等により取り付けられることにより、屋根下空間部Ｓ２の上部に配置されている。吸湿材４１の乾燥剤は、吸湿に加えて放湿が可能な吸放湿性能を有している。
【００４４】
次に、屋根下空間部Ｓ２における結露防止機能について説明する。
【００４５】
まず、一昼夜のうち夜間においては、店舗内スペースＳ１から湿気を帯びた空気が屋根下空間部Ｓ２に侵入することでその屋根下空間部Ｓ２において結露が発生しやすくなる。加えて、温度低下に伴う飽和水蒸気量の低下により屋根下空間部Ｓ２が相対湿度の高い高湿状態になることで、すなわち屋根下空間部Ｓ２の相対湿度が上昇することで屋根下空間部Ｓ２において結露が発生しやすくなる。
【００４６】
ここで、店舗内スペースＳ１から屋根下空間部Ｓ２に侵入した空気が暖気であれば、その暖気は、折板材２２の下面に沿って勾配上端部に向けて上方に流れ、第１屋根部４４の下方部分を通過することで暖気中の水蒸気が吸湿材４１により吸収される。これにより、屋根下空間部Ｓ２での結露発生が抑制される。
【００４７】
その後、昼間になって太陽光の照射により屋根下空間部Ｓ２の温度が上昇すると、飽和水蒸気量の上昇に伴って屋根下空間部Ｓ２の相対湿度が低下する（例えば１０％まで低下する）。これにより、吸湿材４１から水分が空気中に放出される。しかも、屋根下空間部Ｓ２において第１屋根部４４の下方部分は、第２屋根部４５に比べて日射により高温になって相対湿度の低下量も大きくなり、第１屋根部４４の下方に配置された吸湿材４１の放湿が促進される。これにより、夜間のうちに吸湿材４１に吸収された水分が水蒸気として放出されやすくなり、吸湿材４１の吸湿能力が再生される。
【００４８】
吸湿材４１から放出された水蒸気は、屋根下空間部Ｓ２の勾配上端部から張出部１３を通じて屋外に放出される。このため、昼間に吸湿材４１から放出された水蒸気が屋根下空間部Ｓ２に留まって夜間に結露が発生してしまうということを回避できる。
【００４９】
また、昼間においても屋根下空間部Ｓ２が外気により冷やされることや、店舗内スペースＳ１から湿気を帯びた空気が屋根下空間部Ｓ２に侵入することで結露が発生することがある。この場合でも、屋根下空間部Ｓ２において吸湿材４１により水蒸気が吸収され、結露発生が抑制される。
【００５０】
上記構成の折板屋根は、店舗建物を新築又は改築する場合における屋根構造として採用することが可能であるが、それ以外に、既築建物の折板屋根を補修する場合に採用することも可能である。この場合、屋根部を含め店舗建物自体は何ら取り壊しを行わずに屋根補修を実施する。
【００５１】
具体的には、既築建物の屋根部として基本的には図１〜図３と同じ構成を有し、ただし折板材２２に高吸収層（黒色塗装層）が設けられていない構成を想定する。ここでは、屋根補修の手順について説明する。
【００５２】
作業者は、折板材２２の勾配下端部に設けられた面戸２８を取り外し、その勾配下端部の開口部から吸湿材４１を屋根下空間部Ｓ２内に挿し入れ、棒等を使って吸湿材４１を勾配上側に向けて押し込む。また、折板材２２の上面において、勾配上部に黒色塗装を施し、高吸収層４２（黒色塗装層）を形成する。なお、棒等を使って吸湿材４１を押し込んだ状態において吸湿材４１を折板材２２の下面に取り付けることは困難であるため、吸湿材４１を断熱材２７の上に載った状態のままとしてもよく、その状態で断熱材２７の上面に対して固定してもよい。いずれの場合でも、吸湿材４１は吸湿機能を発揮することができる。
【００５３】
ここで、比較のために、建物１０の折板屋根について従来の結露対策改修工事の一例について説明する。
【００５４】
まず、屋根部において折板材の上面に沿って新規の断熱材を敷き並べて断熱層を形成し、その断熱層の上に新規の折板材を重ねる。また、屋根下空間部Ｓ２への室内側からの水蒸気侵入を防ぐために、断熱材２７の下面に沿って防湿シートからなる防湿層を屋内側から形成する。そして、屋根下空間部Ｓ２を強制的に換気するために、換気扇等の機械換気設備を屋根下空間部Ｓ２に対して設置する。
【００５５】
ところが、上記のような改修工事例ではいくつかの問題点が生じてしまう。例えば、折板表面温度の低下を数℃防ぐためには、ある程度の熱抵抗を有する新規の断熱材が必要となるが、繊維系断熱材を用いると厚さが必要となり、施工負担が大きくなってしまう。他に樹脂系の断熱材を用いることもできるが、折板材の形状に合わせて施工が必要であり、これも施工負担が大きくなってしまう。
【００５６】
また、防湿層の設置作業として、天井仕上げを一度外すなどの大掛かりな施工を室内側から行うことになるため、２４時間営業のコンビニエンスストアの場合には、室内側からの作業を行うために、店舗営業の一時的な停止や、営業しても店舗内の一部を対象として立ち入り禁止措置を行う必要があり、営業活動等に影響が及んでしまう。さらに、機械換気設備を屋根下空間部Ｓ２に対して設置すると、折板材の山谷の形状により山部ごとに換気口が必要となるため、大掛かりな設備と、電気代やメンテナンス費などの維持費用とがかかってしまう。
【００５７】
上記の各作業は、当初設計時点から設計に折り込んでいればさほど難しいものではないが、改修時に実施するとなると難しいものとなり、作業負担が増大してしまう。例えば、折板材２２の上面側に断熱層を形成する場合、その断熱層の厚みを抑えることや断熱層を屋根形状に合わせて加工することで、作業負担が大きくなってしまう。また、防湿層は、断熱層よりも室内側に施工する必要があり、作業者は上を向いた状態で防湿シートの敷設作業を行い、さらに、その状態で防湿シートの継ぎ目が切れないように綺麗に施工することになる。屋根下空間部Ｓ２については、折板材２２の谷部分と断熱材２７との間に隙間がほとんど無いため、山部ごとに換気口が必要になってしまう。仮に１つの山部に換気設備を付けて、折板屋根全部を換気しようとしても、谷部が抵抗となってしまい、山部から山部への空気移動は殆どない。
【００５８】
以上詳述した本実施形態によれば、以下の優れた効果が得られる。
【００５９】
屋根下空間部Ｓ２は第１屋根部４４及び第２屋根部４５のうち少なくとも第１屋根部４４において日射により温められるため、温度上昇に伴って飽和水蒸気量が増加して結露の発生しにくい状態とされる。しかも、第１屋根部４４と第２屋根部４５とでは日射熱の吸収量が相違し、それにより屋根下空間部Ｓ２において温度差が生じる。この場合特に、第１屋根部４４と第２屋根部４５とは屋根勾配の上下方向に並べて配置されているため、屋根勾配の上下方向に温度差が生じることとなる。これにより、屋根下空間部Ｓ２においては勾配上端側に向かって対流が発生しやすくなり、仮に屋根下空間部Ｓ２が外気により冷やされ且つその屋根下空間部Ｓ２に湿気が存在していても、折板材２２の下面側における通気が行われて結露の発生しにくい状態を保持できる。以上の結果、折板材２２の下面側において結露の発生を好適に抑制できる。
【００６０】
屋根下空間部Ｓ２に吸湿材４１が設けられているため、結露が発生しやすい夜間において湿気を吸湿材４１にて吸収させることで、結露の発生を抑制できる。しかも、吸湿材４１は、吸湿機能に加えて放湿機能を有し、且つ高吸収層４２（第１屋根部４４）の下方に配置されているため、日射のある昼間においては、特に高温となりやすい第１屋根部４４の下面側で放湿が促され、吸湿機能の再生を確実に行わせることができる。
【００６１】
日ごとで考えると、屋根下空間部Ｓ２において吸湿材４１の吸湿と放湿とが夜間と昼間とで繰り返されるため、結果として、毎夜における結露を抑制することができる。この場合、吸湿材４１が吸放湿のサイクルを有しているため、吸湿材４１を新規の吸湿材４１に取り替える必要がない。しかも、第１屋根部４４において高吸収層４２は塗装層により形成されているため、表面が多少劣化しても色が変わらなければ（日射吸収率が変わらなければ）、吸湿材４１に放湿を行わせるという効果は変わらない。このため、表面が劣化するたびにメンテナンス作業を必要とする例えばゴム等により高吸収層４２が形成されている場合に比べて、高吸収層４２及び吸湿材４１についてのメンテナンス作業の負担を低減できる。
【００６２】
屋根下空間部Ｓ２において吸湿材４１が勾配上端側に配置されているため、夜間において湿気が溜まりやすいと想定される勾配上端エリアについて好適に吸湿を行うことができる。
【００６３】
折板材２２が断熱材２７同士の継ぎ目を跨ぐように設置されることで、その継ぎ目が屋根下空間部Ｓ２に通じているが、屋根下空間部Ｓ２に対して結露抑制対策がなされているため、店舗内スペースＳ１から断熱材２７の継ぎ目を通じて屋根下空間部Ｓ２に湿気が侵入しても、屋根下空間部Ｓ２において結露が発生しにくくなっている。
【００６４】
折板材２２の谷部又は山部により屋根下空間部Ｓ２が屋根勾配に沿って延びるように形成されているため、屋根下空間部Ｓ２が勾配方向に対して交差する方向に延びている場合とは異なり、屋根下空間部Ｓ２において勾配上端側に向けた対流を生じさせることができる。これにより、各屋根下空間部Ｓ２の頂部付近（折板材２２の山部の頂部下側）に湿気が溜まって結露が生じやすくなるということを抑制できる。
【００６５】
吸湿材４１が屋根下空間部Ｓ２において折板材２２の山部の頂部下面に対して取り付けられているため、湿気が溜まりやすい部分を中心に空気中の水蒸気を吸湿材４１に吸収させることができる。
【００６６】
折板材２２のうち第２屋根部４５には高吸収層４２が設けられていないため、第１屋根部４４の下方において吸湿材４１に放湿を行わせる構成において、折板材２２全体が高温となることを回避できる。
【００６７】
［他の実施形態］
本発明は上記実施形態の記載内容に限定されず、例えば次のように実施されてもよい。
【００６８】
（１）屋根下空間部Ｓ２は、屋根材と屋根裏面材との間に形成されていればよい。つまり、屋根材は折板材２２ではなく例えば平板材により形成されていてもよい。また、屋根裏面材は断熱材２７ではなく例えば野地板により形成されていてもよい。ここで、屋根材が平板材とされた構成としては、平板材は金属材料や合成樹脂材料により形成され、スペーサ部材を挟んで断熱材２７の上に載置された構成が挙げられる。この構成では、平板材が断熱材２７から上方に離間しており、その離間部分によって屋根下空間部Ｓ２が形成されている。なお、屋根材が折板材２２により形成されている場合でも、折板材２２は断熱材２７から上方に離間していてもよい。つまり、折板材２２の谷部が断熱材２７から上方に離間していてもよい。
【００６９】
（２）第２屋根部４５に設置する吸湿材として、吸湿及び放湿のうち吸湿が可能な乾燥剤（例えばＡ型シリカゲル）を用いてもよい。かかる構成では、吸湿材を定期的に交換することが好ましい。この場合、吸湿材は着脱可能な状態で屋根下空間部Ｓ２に設置されていることが好ましい。これにより、吸湿材の吸湿機能が低下した場合には新規の吸湿材に取り替えることが可能となる。
【００７０】
（３）高吸収層４２は勾配方向における折板材２２の中央位置又は下部に配置されていてもよい。つまり、勾配方向において、第１屋根部４４は第２屋根部４５の下方に配置されていてもよく、第２屋根部４５は第１屋根部４４の上方及び下方にそれぞれ配置されていてもよい。例えば、高吸収層４２が屋根面の勾配下端部を含む勾配下部エリアに配置されている構成とする。この場合、折板材２２においては、高吸収層４２を有さない第２屋根部４５が勾配上端部を含む勾配上部エリアとされ、高吸収層４２を有する第１屋根部４４が第２屋根部４５よりも勾配下側のエリアとされていることになる。
【００７１】
この構成によれば、屋根面への日射に伴って屋根下空間部において、勾配上端部を含む勾配上部エリアが低温、勾配上部エリアよりも勾配下方が高温となる温度差が生じ、その温度差により対流が発生する。この場合、屋根下空間部Ｓ２内に対流が生じることによって、勾配下端部の面戸２８の通気孔部から外気が流入するとともに、屋根勾配上側の通気開口部から屋根下空間部Ｓ２内に存在する湿気が張出部１３を通じて外部に流出することとなる。これにより、屋根下空間部Ｓ２内の相対湿度を低下させ、ひいては結露発生を抑制することができる。
【００７２】
ここで、上記実施形態と同様に、吸湿材４１は屋根下空間部Ｓ２において第１屋根部４４の下面側に設けられていることが好ましい。この場合、昼間において吸湿材４１から放出された湿気が順次外部に排出されるため、勾配方向において第１屋根部４４が第２屋根部４５の下方に配置されていても、吸湿材４１の吸湿性能の再生を好適に行わせることができる。
【００７３】
また、吸湿材４１は屋根下空間部Ｓ２に設けられていなくてもよい。この場合でも、屋根面の勾配方向において第１屋根部４４が第２屋根部４５の下方に配置されていれば、温度差によって発生する対流によって屋根下空間部Ｓ２での結露発生を抑制できる。
【００７４】
（４）吸湿材４１は、屋根下空間部Ｓ２において第２屋根部４５の下方に設けられていてもよい。また、屋根面の勾配方向において屋根下空間部Ｓ２の全体に沿って延びるように配置されていてもよい。さらに、勾配方向に対して交差する方向に並んだ複数の屋根下空間部Ｓ２のうち一部にだけ設けられていてもよい。
【００７５】
（５）屋根下空間部Ｓ２には、折板材２２に加えられた日射熱を蓄える蓄熱材が設けられていてもよい。この場合、昼間に日射熱が蓄熱材に蓄えられることにより、夜間において屋根下空間部Ｓ２の温度が極端に低下することが抑制されるため、屋根下空間部Ｓ２における結露の抑制効果を高めることができる。したがって、屋根下空間部Ｓ２に吸湿材４１及び蓄熱材が設けられていれば、吸湿材４１に吸収させる水蒸気量を低減でき、ひいては、吸湿材４１の設置量を少なくしてコスト負担を軽減できる。また、屋根下空間部Ｓ２に吸湿材４１が設けられていなくても、屋根下空間部Ｓ２において結露発生を抑制できる。
【００７６】
（６）上記実施形態では、日射吸収率を高くするための高吸収層４２により、第１屋根部４４の日射吸収率が第２屋根部４５よりも高くされているが、日射吸収率を低くするための低吸収層により、第２屋根部４５の日射吸収率が第１屋根部４４よりも低くされていてもよい。この場合でも、第１屋根部４４と第２屋根部４５とで日射熱の吸収量を相違させ、屋根勾配の上下方向において屋根下空間部Ｓ２に温度差を生じさせることができる。
【００７７】
低吸収層は、日射吸収率の低い塗料（例えば日射吸収率が０．１〜０．２の塗料）が第２屋根部４５において折板材２２の上面に塗布されることで形成されている。なお、日射吸収率の低い色としては、白色や薄い灰色などが挙げられる。なお、低吸収層は、日射吸収率の低い色のシート材や薄板により形成されていてもよい。
【００７８】
また、第１屋根部４４に高吸収層４２が形成されているとともに、第２屋根部４５に低吸収層が形成されていてもよい。この場合でも、第１屋根部４４と第２屋根部４５とで日射熱の吸収量を相違させ、屋根勾配の上下方向において屋根下空間部Ｓ２に温度差を生じさせることができる。なお、高吸収層４２と低吸収層とは同系色（第１屋根部４４が濃い灰色ならば第２屋根部４５が薄い灰色）とされていることが好ましい。これにより、屋根面の外観が損なわれることを回避できる。
【００７９】
（７）折板材２２として、その上面及び下面の少なくとも一方に断熱材が積層状に設けられていてもよい。この場合、屋根下空間部Ｓ２が外気により冷やされることが積層状の断熱材により抑制されるため、屋根下空間部Ｓ２での結露発生をより確実に抑制できる。
【００８０】
（８）屋根下空間部Ｓ２内の空気が張出部１３を通じて張出部１３の下方に向けて強制的に排出される構成としてもよい。例えば、張出部１３の下面に排気口が設けられているとともに、その排気口に排気ファンが設けられている構成とする。この構成では、屋根ユニット１２と張出部１３との境界部には、屋根下空間部Ｓ２と張出部１３の内部空間との通気を遮断する通気遮断手段が設けられており、排気ファン及び通気遮断手段は制御手段としてのコントローラにより動作制御される。
【００８１】
屋根下空間部Ｓ２には、その屋根下空間部Ｓ２の湿度を検出する湿度センサが設けられており、コントローラは湿度センサによる検出湿度が所定湿度より大きいか否かを判定し、大きい場合に通気遮断手段を通気状態にするとともに、排気ファンを駆動させる。これにより、屋根下空間部Ｓ２における結露発生をより確実に抑制できる。
【００８２】
（９）屋根材としての折板材２２は、台形波形状ではなく、三角波形状や鋸歯形状、正弦波形状とされていてもよい。
【符号の説明】
【００８３】
１０…建物、２２…屋根材としての折板材、２７…屋根裏面材としての断熱材、４１…吸湿材、４２…高吸収層、４４…第１屋根部、４５…第２屋根部、Ｓ２…屋根下空間部。
【図１】
0005759823.tif 000002
【図２】
0005759823.tif 000003
【図３】
0005759823.tif 000004
【図４】
0005759823.tif 000005